(57)【要約】【課題】カードがその排出位置を越えて飛び出した場合でも、その移動を確実に停止させて飛び出しを防止することのできる電子機器を提供する。【解決手段】折り畳み式携帯電話機１００は、電池パックを装着する電池装着部４と、電池装着部４側に向けてカード挿入口７１が形成されて、プッシュ・プッシュ形式のカード排出機構を有するカードコネクタ７と、を備え、メモリカード５をカード挿入口７１からカードコネクタ７に挿入自在とする。電池装着部４に、カードコネクタ７から排出されるメモリカード５の排出位置Ｘを超えて飛び出した際にメモリカード５が接触するように、カード挿入口７１側を基端８１とし、カード挿入口７１から遠ざかる側を自由端８２とし、基端８１側から自由端８２側に架けて徐々に持ち上がる形状の弾性片８が設けられている。【選択図】図１
2008287651.tif 000002
【特許請求の範囲】
【請求項１】
電池を装着する電池装着部と、
前記電池装着部側に向けてカード挿入口が形成されて、プッシュ・プッシュ形式のカード排出機構を有するカードコネクタと、を備え、
カードを前記カード挿入口から前記カードコネクタに挿入自在とする電子機器において、
前記電池装着部に、前記カードコネクタから排出されるカードの排出位置を超えて飛び出した際に前記カードが接触するように、前記カード挿入口側を基端とし、前記カード挿入口から遠ざかる側を自由端とし、前記基端側から前記自由端側に架けて徐々に持ち上がる形状の弾性片が設けられていることを特徴とする電子機器。
【請求項２】
前記カード挿入口は、前記電池装着部を形成する内壁面に形成されていることを特徴とする請求項１に記載の電子機器。
【発明の詳細な説明】
【技術分野】
【０００１】
本発明は、電池装着部にカードコネクタを設けた電子機器に関する。
【背景技術】
【０００２】
携帯型電話機等の電子機器は二次電池等の電池パックを有し、その電池パックは着脱可能とされている。携帯型電話機において電池パックが装着される電池装着部にメモリカード等が装着されるカードコネクタが設けられたものがある。
例えば特許文献１では、電池兼カバーを取り付けるための電池保持用凹部が形成され、この電池保持用凹部の下側に配置される回路基板上にカードコネクタを設けるとともに、電池保持用凹部にカードを装着するためのカード挿入口を設け、カード挿入口に一端が筐体に固定された矩形の弾性片からなるスロープ兼ストッパを設けている。そして、カードがスロープ兼ストッパの上を滑るようにカード挿入口から挿入されるようにした構成が示されている。挿入されたカードの前端部は、回路基板上にあるカードコネクタのカード保持部によって保持され、カードの後端部は、スロープ兼ストッパに当接することによってカードが動かないように固定される。
【０００３】
また、特許文献２では、バッテリーパック装着部に隣接する機器ケース内にカードコネクタを設け、下面側に形成した凹部にカードを収容したカードホルダをバッテリーパック装着部の壁面に形成されたカード挿入用開口から機器ケース内に挿入してカードの接続端子をコネクタの接点バネに接触させる構成にするとともに、カードホルダの手前側に取っ手部を設けておき、必要に応じて、この取っ手部に指を掛けてカードホルダを引き出すことができるようにした構成が示されている。
しかしながら、上記特許文献１に記載のカードコネクタは、スロープ兼ストッパを押し下げた後、カードを引き出す構成であり、カードの取り出しが面倒であるという問題がある。また、上記特許文献２に記載のカードコネクタにおいても、カードホルダの手前側に設けられている取っ手部を指に掛けてカードホルダを引き出す構成であるため、カードの取り出しが面倒であった。
【０００４】
一方、カードの取り出しが容易なカードコネクタとして、プッシュ・プッシュ形式のカード排出機構を備えたカードコネクタが知られている（例えば、特許文献３参照）。プッシュ・プッシュ形式のカード排出機構を備えたカードコネクタは、挿入されたカードと一緒にカードの挿抜方向にスライドするスライダやスライダに復元力を与えるコイルスプリングを備えており、最近ではプッシュ・プッシュ形式のカード排出機構を備えたカードコネクタの小型化・薄型化が進み、カードコネクタを電池装着部に配置することが可能となってきている。
【特許文献１】特開２００４−１２６８７７号公報
【特許文献２】特開２００６−６７６２８号公報
【特許文献３】特開２００６−１９６８２５号公報
【発明の開示】
【発明が解決しようとする課題】
【０００５】
ところで、プッシュ・プッシュ形式のカード排出機構を備えたカードコネクタは、カード挿入孔が機器ケースの側面に設けられている場合は、カードを指の腹で押すことができ、カードを押し込んだ際に指がカードから外れる虞はほとんどない。このため、カードを取り出すためにカードを押し込んだ際には、スライダがカードの排出位置に戻るまで、あるいはその途中まで、カードの端面が指の腹に接した状態となり、カードの排出スピードが遅くなるので、スライダがカードの排出位置で停止した際にカードがスライダから外れてカードコネクタから飛び出すことはない。
しかしながら、カード挿入孔が電池装着部に設けられている場合は、カード挿入口に挿入されているカードを指の腹で押すことはできず、指の爪で押すことになる。そのため、カードを押している際に爪がカードから外れる虞がある。そして、爪がカードの端面から外れた場合には、コイルスプリングの復元力により押し出されるスライダがカードの排出位置で停止した際にカードがスライダから外れてコネクタから飛び出す場合がある。
本発明は、上記事情に鑑みてなされたもので、カードがその排出位置を越えて飛び出した場合でも、その移動を確実に停止させて飛び出しを防止することのできる電子機器を提供することを目的としている。
【課題を解決するための手段】
【０００６】
上記課題を解決するため、請求項１の発明は、電池を装着する電池装着部と、
前記電池装着部側に向けてカード挿入口が形成されて、プッシュ・プッシュ形式のカード排出機構を有するカードコネクタと、を備え、
カードを前記カード挿入口から前記カードコネクタに挿入自在とする電子機器において、
前記電池装着部に、前記カードコネクタから排出されるカードの排出位置を超えて飛び出した際に前記カードが接触するように、前記カード挿入口側を基端とし、前記カード挿入口から遠ざかる側を自由端とし、前記基端側から前記自由端側に架けて徐々に持ち上がる形状の弾性片が設けられていることを特徴とする。
【０００７】
請求項２の発明は、請求項１に記載の電子機器において、
前記カード挿入口は、前記電池装着部を形成する内壁面に形成されていることを特徴とする。
【発明の効果】
【０００８】
本発明によれば、カードの取り出しの際にカードがカードの排出位置を越えて飛び出した場合でも、カードの移動を確実に停止させて飛び出しを防止することができる。
【発明を実施するための最良の形態】
【０００９】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１(a)は、折り畳み式携帯電話機１００の操作部側筐体１を電池装着部４側から見た際の平面図、(b)は、(a)の斜視図、図２は、カードコネクタ７にメモリカード５を挿入して使用可能な状態（カードロック状態）の平面図、図３は、図２における切断線III−IIIに沿って切断した際の矢視断面図、図４は、図３の要部拡大図、図５は、メモリカード５を取り出すことのできるカード排出状態の平面図、図６は、図５における切断線VI−VIに沿って切断した際の矢視断面図、図７は、図６における要部拡大図である。なお、以下の説明において、表面とは図２を基準として電池装着部４側を向く面を言うものとし、背面とは図２を基準として操作キー群側を向く面を言うものとする。また、上下方向とは、図２を基準としてヒンジ部１１側を上方向とし、ヒンジ部１１と反対側を下方向と言うものとする。
折り畳み式携帯電話機１００は、図示しないが液晶ディスプレイ等の表示部が設けられた表示部側筐体と、操作キー群等の操作部が設けられた操作部側筐体１とがヒンジ部１１によって開閉可能に連結されている。
【００１０】
表示部側筐体の内部には、液晶ディスプレイや、表示部側基板等を支持する中ケース、レシーバ（通話用スピーカ）、着信ランプ部等が収容されている。
【００１１】
操作部側筐体１の内部には、操作キー群や折り畳み式携帯電話機１００全体を制御するメインプロセッサ等が設けられた回路基板２、カメラユニット３、図示しないマイク、電池パック、メインアンテナ等が収容されている。また、操作部側筐体１の表面１aに電池装着部４が凹設されており、この電池装着部４に電池パックが着脱自在に装着されている。電池装着部４にはメモリカード５が装着されるメモリカード装着部６がさらに凹設されている。また、電池装着部４を形成する上側内壁面のうち、メモリカード装着部６に臨む面４aに、メモリカード５を挿入自在とするカードコネクタ７が設けられている。
【００１２】
メモリカード装着部６は、その底面６aから電池装着部４の底面４bにかけて、操作部側筐体１の表面１a側へと傾斜する傾斜面６bを有している。傾斜面６bは、図４に示すように側断面視して回路基板２側に凸となるように緩やかに湾曲している。そして、このメモリカード装着部６を形成する底面６aの一部は、後述の弾性片８となるように形成されている。
【００１３】
図８(a)は、カードコネクタ７にメモリカード５が装着されている状態を示した平面図、(b)は、(a)の左側面図、図９(a)は、メモリカード５の平面図、(b)は、メモリカード５の背面図である。
カードコネクタ７は、プッシュ・プッシュ形式のカード排出機構を備えたものである。カードコネクタ７は、上述の上側内壁面４aに形成されて電池装着部４側に向けて開口した開口部４２（図４参照）内に収容されており、カードコネクタ７の一部はカード装着部６内に露出している。
カードコネクタ７は、電池装着部４側に向けて開口するカード挿入口７１を有する側断面視略コ字型のホルダで、カード挿入口７１から内部へとメモリカード５が挿入自在とされている。カードコネクタ５の内部の高さは、メモリカード５の厚み分の高さよりも高くなっている。
【００１４】
メモリカード５としては、例えば、ミニＳＤ(Secure Digital（登録商標）)カード、マイクロＳＤ（Secure Digital（登録商標））カードなどが挙げられる。
図８及び図９に示すように、メモリカード５は、その右側面の一部が右側方に凸となる凸部５１を有し、凸部５１を形成する側面５aに切欠部５２が形成されている。また、凸部５１を形成する側面５aと、凸部５１の形成されていない右側面５bとの間の境界部分が傾斜面５cとされている。
そして、カードコネクタ７の内部には、図示しないが、挿入されたメモリカード５を固定するバネ片（図示しない）を有し、挿入されたメモリカード５と一緒にカードの挿抜方向にスライドするスライダ（図示しない）と、メモリカード５の挿入時にスライダによってカードコネクタ７の内部へと押し込められるコイルスプリング（図示しない）とが設けられている。なお、スライダはメモリカード５の傾斜面５cによって押されるようになっている。
【００１５】
図８(a)中、破線Ｘで示す位置は、メモリカード５を取り出すことのできるカード排出状態を示しており、このカード排出状態では、スライダはコイルスプリングによってスライド可能範囲内の最もカード挿入口７１に近い位置にある。また、メモリカード５は切欠部５２にバネ片が係止されただけの仮固定状態にあり、簡単に引き抜くことができるようになっている。
破線Ｙで示す位置は、メモリカード５の端子５５（図９(b)参照）がカードコネクタ７の端子（図示しない）と接触して使用可能な状態（カードロック状態）を示している。このとき、コイルスプリングは、カード排出状態にあるときよりも圧縮されており、また、メモリカード５の切欠部５２に係止しているバネ片が切欠部５２から外れないように側方から押さえられ、メモリカード５が引き抜けないようにロック固定されている。
また、破線Ｚで示す位置は、メモリカード５のプッシュ状態を示しており、破線Ｘのカード排出位置からこの位置Ｚまでメモリカード５を押し込んで離すと破線Ｙのカードロック状態となり、カードロック状態からメモリカードをこの位置Ｚまで押し込んで離すと破線Ｘのカード排出状態となる。
【００１６】
なお、メモリカード５の表面側の下端部５３は隆起しており、この隆起した下端部５３は指の爪で押し込み易い形状となっている（図８(b)参照）。さらに、メモリカード５の背面側の上端部５４には複数の端子５５が露出している（図９(b)参照）。
【００１７】
弾性片８は、カードコネクタ７によって排出されるメモリカード５が本来のカード排出位置（図８の位置Ｘ）を超えて飛び出した際に、その下端部５３に接触してメモリカード５の飛び出しを防止するものであり、メモリカード装着部６の底面６a及び傾斜面６bに架けて形成されている。すなわち、弾性片８は、図１、図４等に示すように、メモリカード装着部６の底面６a及び傾斜面６bを、カードコネクタ７側の底面６aの一部を除いて平面視略コ字状に切り抜くことによって、カード挿入口７１側を基端８１とし、カード挿入口７１から遠ざかる側を自由端８２として、基端８１側から自由端８２側にかけて徐々に傾斜して持ち上がる形状に形成される。また、基端８１側の幅は、自由端８２側の幅に比べて狭くなっている。このようにして形成された弾性片８の基端８１側は、メモリカード装着部６の底面６aに連続して形成され、メモリカード装着部６の傾斜面６bに沿って傾斜する傾斜面８aを有し、さらに自由端８２側は、傾斜面８aから電池装着部４の底面４bと略同じ高さ位置に設けられた平面８bを有する。そして、弾性片８は自由端８２側が弾性を有するようになっており、メモリカード５が本来のカード排出位置を超えて飛び出した際に、メモリカード５の下端部５３が傾斜面８aに接触することでその移動が停止するようになっている。
【００１８】
また、電池装着部４でメモリカード装着部６の下方には、識別カード９が装着される識別カード装着部９１が凹設されている。識別カード９としては、例えば、ＵＩＭ（User Identity Module）カードやＳＩＭ（Subscriber Identity Module）カード等が挙げられる。識別カード装着部９１には識別カードコネクタ９２が収容され、識別カードコネクタ９２に識別カード９が装着自在に設けられている。
さらに、電池装着部４を形成する下側内壁面４cには電池パック用のコネクタ端子１０が設けられている。
【００１９】
次に、カードコネクタ７からメモリカード５を排出する際の動作について説明する。
図２〜図４は、カードコネクタ７にメモリカード５を挿入した状態（メモリカード５がロック位置にあるときの状態（図８の位置Ｙ））であり、この状態ではカードコネクタ７のコイルスプリングが圧縮しており、バネ片が切欠部５２に係止してメモリカード５がカードコネクタ７にロック固定されている。このとき、メモリカード５の下端部５３は、メモリカード装着部６内に露出している。
図２〜図４の状態から、メモリカード５の露出した下端部５３をカードコネクタ７の内部へと押し込んでプッシュ状態（図８の位置Ｚ）とすることによって、コイルスプリングが（メモリカード５の傾斜面５cによって）さらに圧縮された後、コイルスプリングの付勢力によって、図５〜図７に示すようにメモリカード５がカード排出位置（図８の位置Ｘ）に押し戻される。このとき、メモリカード５はバネ片が切欠部５２に係止されただけの仮固定状態にあるので、メモリカード５の下端部５３における表面部分を指の腹で回路基板２側に押し当てながら、傾斜面８aに沿ってメモリカード５を引き出すことができる。
また、メモリカード５の下端部５３をカードコネクタ７の内部へと押している際に爪がメモリカード５の下端部５３から外れた場合には、スライダが本来のカード排出位置で停止しても、メモリカード５をスライダに仮固定しているバネ片が切欠部５２から外れて、メモリカード５がカードコネクタ７から勢いよく飛び出すことになるが、カード排出位置（図８の位置Ｘ）を超えて飛び出したメモリカード５の下端部５３が弾性片８の傾斜面８aに接触し、メモリカード５の移動が停止される。したがって、メモリカード５が平面８bを超えて飛び出すことがない。
【００２０】
以上、本発明の実施の形態によれば、電池装着部４に、メモリカード５の排出位置を超えて飛び出した際にメモリカード５が接触するように、カード挿入口７１側を基端８１とし、カード挿入口７１から遠ざかる側を自由端８２とし、基端８１側から自由端８２側に架けて徐々に持ち上がる形状の弾性片８が設けられているので、メモリカード５の取り出しの際にメモリカード５の下端部５３から指の爪が外れてメモリカード５がその排出位置を超えて飛び出しても、弾性片８の傾斜面８aにメモリカード５が接触することによってその移動が停止される。その結果、カード排出機構によるカード排出位置を越えるメモリカード５の飛び出しを確実に防止することができる。
また、カード挿入口７１は電池装着部４を形成する内壁面４aに形成されているので、スペースを有効利用でき、小型化を図ることができる。
【００２１】
なお、本発明は上記実施の形態に限定されるものではなく、その要旨を逸脱しない範囲で適宜変更可能である。
例えば、カードコネクタ７は電池装着部４を形成する上側内壁面４aに設けるとしたが、電池装着部４を形成する下側内壁面４cや左右内壁面４d，４eに設けても良い。また、これに伴って弾性片８の位置も変更することができる。さらに、電池装着部４を形成する内壁面だけでなく、電池装着部４を形成する底面４bにカードコネクタ７を埋設し、弾性片８を底面４bに設けるように構成しても良い。
【００２２】
上記実施の形態では、電子機器として折り畳み式携帯電話機１００を例に挙げて説明したが、これに限らず、ノート型パーソナルコンピュータ、デジタルカメラ、腕時計、ＰＤＡ（Personal Digital Assistance）、電子手帳、携帯型無線機、その他の電子機器に本発明を適用しても良い。
【図面の簡単な説明】
【００２３】
【図１】(a)は、折り畳み式携帯電話機１００の操作部側筐体１を電池装着部４側から見た際の平面図、(b)は、(a)の斜視図である。
【図２】カードコネクタ７にメモリカード５を挿入して使用可能な状態の平面図である。
【図３】図２における切断線III−IIIに沿って切断した際の矢視断面図である。
【図４】図３の要部拡大図である。
【図５】メモリカード５を取り出すことのできるカード排出状態の平面図である。
【図６】図５における切断線VI−VIに沿って切断した際の矢視断面図である。
【図７】図６における要部拡大図である。
【図８】(a)は、カードコネクタ７にメモリカード５が装着されている状態を示した平面図、(b)は、(a)の左側面図である。
【図９】(a)は、メモリカード５の平面図、(b)は、メモリカード５の背面図である。
【符号の説明】
【００２４】
４  電池装着部
４a  上側内壁面
５  メモリカード
７  カードコネクタ
８  弾性片
７１  カード挿入口
８１  基端
８２  自由端
１００  折り畳み式携帯電話機（電子機器）
【図１】
2008287651.tif 000003
【図２】
2008287651.tif 000004
【図４】
2008287651.tif 000005
【図５】
2008287651.tif 000006
【図７】
2008287651.tif 000007
【図８】
2008287651.tif 000008
【図９】
2008287651.tif 000009
【図３】
2008287651.tif 000010
【図６】
2008287651.tif 000011